(57)【要約】【課題】  活性化された水質のミネラル成分を含む飲料水を低コストにて供給する。【解決手段】  濾過器１０３により濾過された原料水を、電磁弁４を開いて給水タンク１０１内に注水し、その後、定量ポンプ１２１を稼動させて、この注水量に見合った所定の比率で、ミネラル水貯蔵タンク１２０内のミネラル水を給水タンク１０１内に入れ、給水タンク１０１内の濾過済原料水と混合する。その後、循環用ポンプ１０６を稼動させて、給水タンク１０１内の水を循環させ、この循環経路（ペアの通水管）に設置された磁気遠赤外線水処理装置１５１により、給水タンク１０１内の水を磁化ミネラル水に変えることにより活性化する。【選択図】  図２
2005279453.tif 000002
【特許請求の範囲】
【請求項１】
良好な水質の飲料水を、常時供給するための磁化ミネラル水供給装置であって、
原料水を濾過する濾過手段と、
前記濾過された原料水に対して、ミネラル成分を含有するミネラル水を、前記原料水の水量に見合った所定の混合率で混合するミネラル水混合手段と、
前記ミネラル水が混合された前記濾過済の原料水の温度が、所定の一定値を下回らないようにする加熱手段と、
前記ミネラル水が混合された前記濾過済の原料水に対して、磁力線と遠赤外線とを同時に放射することにより活性化されたミネラル水を得る活性化手段と、
前記活性化されたミネラル水を給水用容器に充填する充填手段と、
を備えたことを特徴とする磁化ミネラル水供給装置。
【請求項２】
前記濾過手段は、フィルター部に、木炭、活性炭、砂、中空糸膜、イオン交換繊維、イオン交換樹脂、逆浸透膜等の濾過材を組み合わせて使用することを特徴とする請求項１記載の磁化ミネラル水供給装置。
【請求項３】
前記濾過手段は、前記フィルター部に、オゾン、紫外線、高温（熱）、光触媒等を組み合わせた殺菌手段を使用することを特徴とする請求項２記載の磁化ミネラル水供給装置。
【請求項４】
前記活性化手段は、前記ミネラル水が混合された前記濾過済の原料水に対して、磁力線と遠赤外線とを同時に放射する手段として、磁気遠赤外線水処理装置を使用することを特徴とする請求項１乃至３の何れか１項に記載の磁化ミネラル水供給装置。
【請求項５】
前記ミネラル水が混合された前記濾過済の原料水の水量が、所定の一定範囲に維持されるように制御する制御手段を備えたことを特徴とする請求項１乃至４の何れか１項に記載の磁化ミネラル水供給装置。
【請求項６】
前記ミネラル水混合手段は、前記濾過された原料水に対して、前記ミネラル水を、前記原料水の水量に見合った所定の混合率で混合する手段として、攪拌手段を有する給水タンクを使用することを特徴とする請求項１乃至５の何れか１項に記載の磁化ミネラル水供給装置。
【請求項７】
前記ミネラル水混合手段は、前記原料水の水量に見合った所定の混合率の前記ミネラル水を取り出す手段として、ミネラル水貯蔵タンク内のミネラル水を前記給水タンクに導く定量ポンプを使用することを特徴とする請求項６記載の磁化ミネラル水供給装置。
【請求項８】
前記ミネラル水混合手段、前記加熱手段、及び前記活性化手段を、それぞれ制御する制御手段を備えたことを特徴とする請求項１乃至７の何れか１項に記載の磁化ミネラル水供給装置。
【請求項９】
前記制御手段は、コンピュータで構成されていることを特徴とする請求項８記載の磁化ミネラル水供給装置。
【請求項１０】
前記原料水は、水道水及び／または井戸水であることを特徴とする請求項１乃至９の何れか１項に記載の磁化ミネラル水供給装置。
【請求項１１】
自在車付きの台車に搭載されることにより、全体が移動可能に構成されていることを特徴とする請求項１乃至１０の何れか１項に記載の磁化ミネラル水供給装置。
【請求項１２】
良好な水質の飲料水を、産業動物に対して供給するための磁化ミネラル水供給方法であって、
原料水を濾過する濾過ステップと、
前記濾過済の減水を給水タンクに貯留する貯水ステップと、
前記貯留と同時に、給水タンク内の水の温度を調節する温度調節ステップと、
前記給水タンク内の水に、ミネラル成分を含有するミネラル水を、一定水量だけ混合するミネラル水混合ステップと、
前記混合と同時に、給水タンク内の水を攪拌する攪拌ステップと、
前記給水タンク内の水を磁気遠赤外線水処理装置が設置されたパイプ内を循環させる活性化ステップと、
前記給水タンク内の水を、給水用の容器に充填する充填ステップと、
を備えたことを特徴とする磁化ミネラル水供給方法。
【請求項１３】
前記濾過は、フィルター部に、木炭、活性炭、砂、中空糸膜、イオン交換繊維、イオン交換樹脂、逆浸透膜等の濾過材を使用することによる請求項１２記載の磁化ミネラル水供給方法。
【請求項１４】
前記濾過は、前記フィルター部に、オゾン、紫外線、高温（熱）、光触媒等を使用することによる請求項１３記載の磁化ミネラル水供給方法。
【請求項１５】
前記活性化は、前記ミネラル水が混合された前記濾過済の原料水に対して、磁力線と遠赤外線とを同時に放射することによる請求項１２乃至１４の何れか１項に記載の磁化ミネラル水供給方法。
【発明の詳細な説明】
【技術分野】
【０００１】
本発明は、イオン化して係合状態の水分子を分離し微粒子化させることにより水本来の活性力を向上させた磁化ミネラル水供給装置、及び磁化ミネラル水の供給方法に係り、特に、産業動物（豚、鶏等）に飲料水を供給するための磁化ミネラル水供給装置及び磁化ミネラル水供給方法に関する。
【背景技術】
【０００２】
近年、水道水の水質が悪化しカルキ臭の強い飲料水が都会地域のみならず地方においても供給されるようになった。また、井戸水の水質も、農薬や工場等から流出する汚染物質等により汚染されている危険性が高まってきている。さらに、貯水槽や給水管が老朽化すると、貯水槽や給水管内に赤錆、スケール、スライム等が付着し、飲料水の品質低下等の弊害を引き起こす。
不純物を含んで水質が劣化した水においては、不純物質が仲介してイオン化した水分子同士が引き合って大きな水分子の集団（クラスター）を形成して水本来の活性力が低減している。また、水道水の殺菌のために添加されている塩素は、水の中に元々含まれている有機物質と結合することによりカルキ臭を生じさせることとなる。
【０００３】
従来、産業動物に対する給水設備には、井戸水や水道水等の原料水がそのまま使用されている場合が多かった。また、産業動物を飼育する施設の給水配管の口径は、設備投資額を抑えるために小口径となっている場合が多い。
【発明の開示】
【発明が解決しようとする課題】
【０００４】
このように、産業動物に与えられる飲料水は、井戸水や水道水がそのまま使用される場合が多く、例えば、クラスター化による活性力の低下、農薬汚や重金属等の汚染物質の混入、カルキ臭や赤錆等の匂いの発生、等々の問題点が生じていた。このような、水質の劣化した飲料水が与えられた産業動物は、成長を遅延させ、さらには各種の疾病に冒される危険性が著しく高まることが指摘及び実証されている。
【０００５】
特に水道水にはミネラル分が欠けており、これがそのまま産業動物の飲用水として長時間使用されると、産業動物の順調な成育に必要な例えば鉄分、カルシウム、マグネシウム等の栄養素が著しく不足するという問題点があった。
また、産業動物を飼育する施設の給水配管の口径が、設備投資額を抑えるために小口径となっている場合が多く、飲水量が不足した状態で飼育されることにより産業動物が様々な病気を引き起こすこともあった。
さらに、冬場には産業動物に与える水の温度が低下し、結果として産業動物の飲水量が低下するという問題点があった。
【０００６】
本発明は、上記従来の問題点に鑑みてなされたものであって、特に産業動物に対して、常時活性化されカルキ臭や赤錆等がない良質の飲料水の提供を低コストにより実現可能であり、ミネラル成分を十分に含む飲料水を供給できる磁化ミネラル水供給装置及び供給方法を提供することを目的としている。
【課題を解決するための手段】
【０００７】
上記課題を解決するために、本発明に係る磁化ミネラル水供給装置は、良好な水質の飲料水を、常時供給するための磁化ミネラル水供給装置であって、原料水を濾過する濾過手段と、前記濾過された原料水に対して、ミネラル成分を含有するミネラル水を、前記原料水の水量に見合った所定の混合率で混合するミネラル水混合手段と、前記ミネラル水が混合された前記濾過済の原料水の温度が、所定の一定値を下回らないようにする加熱手段と、前記ミネラル水が混合された前記濾過済の原料水に対して、磁力線と遠赤外線とを同時に放射することにより活性化されたミネラル水を得る活性化手段と、前記活性化されたミネラル水を給水用容器に充填する充填手段とを備えたことを特徴とする。
このように構成することにより、水質が常時良好で、かつミネラル成分を含んでいる十分な量の、食味の良い飲料水を供給できると共に、給水用の配管内に鉄錆や付着物を生じさせない磁化ミネラル水供給装置を実現している。
【０００８】
また、前記磁化ミネラル水供給装置は、前記活性化手段が、前記ミネラル水と混合された前記濾過済の原料水に対して、磁力線と遠赤外線とを同時に放射する手段として、磁気遠赤外線水処理装置を使用することを特徴とする。
また、前記磁化ミネラル水供給装置は、前記濾過手段が、フィルター部に、木炭、活性炭、砂、中空糸膜、イオン交換繊維、イオン交換樹脂、逆浸透膜等の濾過材を組み合わせて使用することを特徴とする。
また、前記磁化ミネラル水供給装置は、前記濾過手段が、前記フィルター部に、オゾン、紫外線、高温（熱）、光触媒等を組み合わせた殺菌手段を使用することを特徴とする請求項２記載の磁化ミネラル水供給装置。
また、前記磁化ミネラル水供給装置は、前記ミネラル水が混合された前記濾過済の原料水の水量が、所定の一定範囲に維持されるように制御する制御手段を備えたことを特徴とする。
【０００９】
また、前記磁化ミネラル水供給装置は、前記ミネラル水混合手段が、前記濾過された原料水に対して、前記ミネラル水を、前記原料水の水量に見合った所定の混合率で混合する手段として、攪拌手段を有する給水タンクを使用することを特徴とする。
また、前記磁化ミネラル水供給装置は、前記ミネラル水混合手段が、前記原料水の水量に見合った所定の混合率の前記ミネラル水を取り出す手段として、ミネラル水貯蔵タンク内のミネラル水を前記給水タンクに導く定量ポンプを使用することを特徴とする。
また、前記磁化ミネラル水供給装置は、前記ミネラル水混合手段、前記加熱手段、及び前記活性化手段を、それぞれ制御する制御手段を備えたことを特徴とする。
【００１０】
また、前記磁化ミネラル水供給装置は、前記制御手段が、コンピュータで構成されていることを特徴とする。
また、前記磁化ミネラル水供給装置は、前記原料水が、水道水及び／または井戸水であることを特徴とする。
さらに、前記磁化ミネラル水供給装置は、自在車付きの台車に搭載されることにより、全体が移動可能に構成されていることを特徴とする。
【００１１】
また、本発明に係る磁化ミネラル水供給装置は、良好な水質の飲料水を、常時供給するための磁化ミネラル水供給方法であって、原料水を濾過する濾過ステップと、前記濾過済の減水を給水タンクに貯留する貯水ステップと、前記貯留と同時に、給水タンク内の水の温度を調節する温度調節ステップと、前記給水タンク内の水に、ミネラル成分を含有するミネラル水を、一定水量だけ混合するミネラル水混合ステップと、前記混合と同時に、給水タンク内の水を攪拌する攪拌ステップと、前記給水タンク内の水を磁気遠赤外線水処理装置が設置されたパイプ内を循環させる活性化ステップと、前記給水タンク内の水を、給水用の容器に充填する充填ステップとを備えたことを特徴とする。
【００１２】
このようなステップを有することにより、水質が常時良好で、かつミネラル成分を含んでいる十分な量の、食味の良い飲料水を供給できると共に、給水用の配管内に鉄錆や付着物を生じさせない磁化ミネラル水供給方法を実現している。
【発明の効果】
【００１３】
本発明に係る磁化ミネラル水供給装置、及び磁化ミネラル水供給方法によれば、産業動物に対して水質が常時良好で、かつミネラル成分を含んでいる十分な量の良質の飲料水を供給できる磁化ミネラル水供給装置及び磁化ミネラル水製造方法を提供することを実現した。
また、給水用の配管内に鉄錆や付着物を生じさせない磁化ミネラル水供給装置、を実現した。さらに、実際の給水点まで移動可能な磁化ミネラル水供給装置を提供することができる。
【発明を実施するための最良の形態】
【００１４】
以下、本発明の磁化ミネラル水供給装置、及び磁化ミネラル水供給方法の最良の実施形態について、図面を参照して詳細に説明する。
図１は、本発明の実施形態に係る磁化ミネラル水供給方法を説明するための説明図である。
同図に示すように、本実施形態に係る磁化ミネラル水供給方法は、以下に箇条書きする順序で実施される。
【００１５】
（１）井戸水や水道水等の原料水を濾過する（ステップＰ１）。
（２）濾過済の減水を給水タンクに貯留（貯水）する（ステップＰ２）。
（３）前記貯留と同時に、給水タンク内の水の温度を調節する（ステップＰ３）。
（４）給水タンク内の水に、ミネラル成分を含有するミネラル水を、一定水量だけ混合する（ステップＰ４）。
（５）前記混合と同時に、給水タンク内の水を攪拌する（ステップＰ５）。
（６）給水タンク内の水をパイプで循環させ、この経路において、磁気遠赤外線水処理を行う（ステップＰ６）。
（７）給水タンク内の水を、給水用の容器に充填する（ステップＰ７）。
磁化ミネラル水供給方法によれば、水質が常時良好で、かつミネラル成分を含んでいる十分な量の、食味の良い磁化ミネラル水を供給できると共に、給水用の配管内に鉄錆や付着物を生じさせることがない。
【００１６】
図２は、本発明の実施形態に係る磁化ミネラル水供給装置の全体構成を示す構成図である。
同図に示すように、本実施形態に係る磁化ミネラル水供給装置１００は、濾過済の原料水を貯留する給水タンク１０１と、取水口の配管を原料水の供給配管に接続すると共にバルブとして機能する給水バルブ１０２と、原料水を濾過する濾過器１０３（請求項１記載の濾過手段）と、原料水の取水量を調節する電磁弁１０４と、配管内の圧力を減圧する減圧弁１０５と、水質改善処理に必要な循環用ポンプ１０６及び磁気遠赤外線水処理装置１５１と、装置内の機器の制御を行う制御部１１１と、装置内の機器の制御に必要な操作や状態表示を行うための制御盤１１０と、装置内の機器の制御に必要な操作を入力するための操作ＳＷ（スイッチ）１１２と、装置内の機器の状態を表示する表示部１１３とを具備する。
【００１７】
また、磁化ミネラル水供給装置１００は、ミネラル水を貯蔵したミネラル水貯蔵タンク１２０と、ミネラル水貯蔵タンク１２０内のミネラル水を指示された一定量だけ取り出す定量ポンプ１２１及び接続バルブ１２２と、処理済の磁化ミネラル水を充填するための給水用容器１３０と、処理済の磁化ミネラル水を取り出すための受水バルブ１３１（請求項１記載の充填手段）とを具備する。さらに、前記の各構成要素を収納または載置する台車１４０と、台車１４０の脚部を受ける自在車１４１とを具備する。
【００１８】
給水タンク１０１内には、給水タンク１０１内に貯留された水の水位が上限水位に達したことを検知する上限水位計ａと、給水タンク１０１内に貯留された水の水位が下限水位に達したことを検知する下限水位計ｂと、給水タンク１０１内に貯留された水を攪拌する攪拌装置ｃと、給水タンク１０１内に貯留された水の温度を測定する温度計ｄと、給水タンク１０１内に貯留された水の温度を上げるためのヒーターｅとを備える。
濾過器１０３を構成するフィルター部（図示は省略）には、木炭、活性炭、砂、中空糸膜、イオン交換繊維、イオン交換樹脂、逆浸透膜、その他、の濾過材を組み合わせて使用することができる。また、この部分に、オゾン、紫外線、高温（熱）、光触媒、その他、を組み合わせて使用した殺菌手段を設置することができる。
【００１９】
ミネラル水貯蔵タンク１２０内のミネラル水は、ミネラル成分を含有するものとする。
給水タンク１０１の容量は、給水用容器１３０の容量よりも十分に大きいものとする。
循環用ポンプ１０６を通過する通水管は、水を循環させることができるように往復路用の計２本の通水管がペアとなって構成されているものとする。また、循環用ポンプ１０６は、この２本の通水管により、給水タンク１０１内の水を循環させることができる構造を有するものとする。
【００２０】
制御部１１１は、コンピュータで構成することができる。
以下、本実施形態に係る磁化ミネラル水供給装置１００の機能を説明する。
まず、係員（操作者）は、給水用容器１３０を台車１４０の所定位置に載置すると共に、ミネラル水貯蔵タンク１２０の底部の給水管を、台車１４０内の接続バルブ１２２に取り付け、給水バルブ１０２を開く。
その後、係員は、制御盤１１０の操作ＳＷ１１２を操作して、装置稼動開始のスイッチ（図示は省略）をオンにする。
【００２１】
これにより、給水バルブ１０２は、原料水の通水を開始する。給水バルブ１０２を通った原料水は、濾過器１０３で濾過されて、不純物（農薬、重金属、色水、鉄錆、等）が除去される。この濾過済の原料水は、制御部１１１により制御される電磁弁１０４により、通水量が調節され、さらに減圧弁１０５により、圧力（水圧、気圧）が減圧され、給水タンク１０１に注水される。
上限水位計ａが上限水位を検知すると、制御部１１１は、電磁弁１０４を閉じて、給水タンク１０１への注水を停止する。
その後、給水容器１３０への給水により、給水タンク１０１内の水の水位が、下限水位計ｂまで低下すると、制御部１１１は、電磁弁１０４を開いて、給水タンク１０１への注水を開始する。
【００２２】
これにより、給水タンク１０１内の貯水量は、常に、上限水位計ａと下限水位計ｂとの間で維持されるように調節される。
電磁弁１０４が開かれてから閉じられるまでの間の、給水タンク１０１への注水量は、電磁弁１０４を制御する制御部１１１により算出される。
次に、制御部１１１は、温度計ｄからの検出温度の通知を受けて、給水タンク１０１の水の温度が所定値よりも下がらないようにヒーターｅを制御する（請求項１記載の加熱手段）。
また、制御部１１１は、定量ポンプ１２１を稼動させて、ミネラル水貯蔵タンク１２０内のミネラル水を給水タンク１０１に混合する。この時、制御部１１１から定量ポンプ１２１に対して指示されるミネラル水の送出水量は、前述の給水タンク１０１への原料水の注水量に、所定の混合比を乗じて算出される（請求項１記載のミネラル水混合手段）。
【００２３】
この定量ポンプ１２１の稼動が終了した後、制御部１１１は、攪拌装置ｃの電源スイッチをオンにして、攪拌装置ｃを介して給水タンク１０１の水を攪拌すると共に、循環用ポンプ１０６の電源スイッチをオンにし、給水タンク１０１の水を、磁気遠赤外線水処理装置１５１を通過させることにより、磁化ミネラル水に変えると共に、活性化する（請求項１記載の活性化手段）。
この循環用ポンプ１０６の稼動が所定時間を経過すると、制御部１１１は、制御盤１１０の表示部１１３に、「給水可」の表示を出させる。
これにより、係員は、受水バルブ１３１を開いて給水タンク１０１内の磁化ミネラル水を給水用容器１３０に充填する。
台車１４０の脚部には自在車が取り付けられているので、係員は、この台車１４０を、産業動物用の複数の給水点に移動させることができる。
【００２４】
図３は、本発明の実施形態に係る磁化ミネラル水供給装置の電気系統の回路構成を示す回路図である。
図３に示す磁化ミネラル水供給装置の回路は、操作ＳＷ１１２から制御部１１１への指令を入力し、制御部１１１から表示部１１３に本装置の内部状態を表示する構成を有する。また、制御部１１１から、電磁弁１０４、循環用ポンプ１０６、定量ポンプ１２１、攪拌装置ｃ、及びヒーターｅの電源スイッチ（いずれも図示しない）をオンにする構成を有し、さらに、上限水位計ａ、下限水位計ｂ、及び温度計ｄからの通知を、制御部１１１で受ける構成を有する。
【００２５】
図４は、磁気遠赤外線水処理装置１５１の例を示す。
図４の（ａ）部は、通水管１０に、二つの磁気遠赤外線水処理装置１５１を連結状態に取り付けた外観斜視図を示し、図４の（ｂ）部は、赤外線水処理装置１５１の内部構成を説明するため、（ａ）部で示したＡ−Ａ´線における断面図を示す。磁気遠赤外線水処理装置１５１は、必要に応じて一台のみの取り付けであっても、３以上の台数を連結しても良いことは言うまでもない。
【００２６】
図４の（ｂ）部に示すとおり、磁気遠赤外線水処理装置１５１は、通水管１０を交差する状態で挟む第１ハウジング１５２及び第２ハウジング１５３と、第１ハウジング１５２と第２ハウジング１５３とを通水管を挟んで開閉可能に支持するヒンジ手段１５４とから構成される。
第１ハウジング１５２及び第２ハウジング１５３の内部には、ハウジング外被内側から通水管に接する側に向かって、磁界が外部に漏洩するのを防止するための防磁鉄板１５５、ヨーク１５６、磁気手段１５７及び遠赤外線放射手段１５８とを備える。
【００２７】
第１ハウジング内に収納される磁気手段１５７と、第２ハウジング３内に収納される磁気手段１５７は、一方がＮ極、他方がＳ極に着磁された永久磁石である。
第１ハウジング１５２と第２ハウジング１５３とを形成する素材には、磁力線と遠赤外線とを通過させる耐久性に優れたプラスチック材料を使用している。なお、抗菌処理が施されたＡＢＳ樹脂を使用することができる。
第１ハウジング１５２と第２ハウジング１５３が、通水管１０と接する部分は楕円形に形成され、通水管１０との接触性を向上させている。この部分は、凹面に形成することも可能である。
【００２８】
ヨーク１５６は、鉄、ニッケル及びコバルト等の強磁性体により形成されている。ヨーク１５６は、外部への漏洩磁束がゼロになる厚さ（即ち、いわゆる飽和状態になる厚さ）以下であれば、原理的には厚さが有る方が表面磁力を大きくすることができる。しかし、ヨーク１５６を過度に厚くすると、装置全体の重量が重くなるので、磁気手段（永久磁石）１５７の厚さと同程度、または永久磁石１５７の厚さよりも僅かに厚くすることが好ましい。
磁気手段１５７として、フェライト磁石を使用することも可能ではあるが、小型で強力な表面磁力を得ることができるネオジウム磁石（表面磁力３５００Ｇ〜４０００Ｇ）を使用することが好ましい。
【００２９】
遠赤外線放射手段１５８は、磁気手段１５７の上又はサイドに取り付ける。
遠赤外線放射手段１５８は、好ましくは、陶器製の遠赤外線放射体であり、その成分は、ＳｉＯ2が７０〜８０％（好ましくは、７６％）、Ａｌ2Ｏ3が１０〜２０％（好ましくは、１６％）、Ｆｅ2Ｏ3が３〜９％（好ましくは、６％）、ＺｒＯ2が５％以下（好ましくは、２％）である。
【００３０】
なお、遠赤外線放射手段１５８として，遠赤外線放射塗料を塗布するようにしても良い。遠赤外線放射塗料としては、珪酸（シリカ）を主成分として数％の炭素を含有する黒色鉱物を粉状にし、これに各種樹脂（エポキシ樹脂）を混合したものを使用することができる。遠赤外線放射手段１５８は、通水管１０を通過する水に対して遠赤外線を照射する。
【００３１】
磁気手段１５７は、通水管１０を通過する水に対して磁力線を放射する。この磁力線は、前記の遠赤外線との相乗効果により、通水管１０を通過する水（クラスター化している）を細分化させて、これにより、この水を活性化させるように作用する。また、通水管１０の内部に、鉄錆や不純分を付着させないように作用する。また、クラスター化していた水が細分化されることにより、水の味が良くなる作用を有する。さらに、この磁力線は、第１ハウジング１５２と第２ハウジング１５３とを互いに引き付ける作用により、磁気遠赤外線水処理装置１５１が通水管１０に取り付けられた後、磁気遠赤外線水処理装置１５１が、通水管１０から容易に落下しないようにしている。
【００３２】
図５は、本発明の実施形態に係る磁化ミネラル水供給装置の動作を説明するためのフローチャートである。
以下、図１乃至３を参照しながら、図５に示すフローチャートを使用して、本実施形態に係る磁化ミネラル水供給装置の制御部の動作を説明する。
制御部１１１は、下限水位計ｂからの通知、即ち、給水タンク１０１内の水位が、所定の下限（下限水位計ｂの位置）を下回ったことを示す通知が有ったか否かを検証し（ステップＳ１）、下限水位計ｂからの前記通知がなければ、ステップＳ７に移り、また、下限水位計ｂからの前記通知が有れば、ステップＳ２に移る。
【００３３】
ステップＳ２では、制御部１１１は、電磁弁１０４を開いて、給水タンク１０１に原料水を注水する。
次に、制御部１１１は、上限水位計ａからの通知、即ち、給水タンク１０１内の水位が、所定の上限（上限水位計ａの位置）を上回ったことを示す通知が有ったか否かを検証し（ステップＳ３）、上限水位計ａからの前記通知がなければ、ステップＳ３に戻り、また、下限水位計ｂからの前記通知が有れば、ステップＳ４に移る。
ステップＳ４では、制御部１１１は、電磁弁１０４を閉じて、給水タンク１０１への原料水の注水を停止する。
【００３４】
次に、制御部１１１は、温度計ｄからの、給水タンク１０１内の水の温度を示す情報を受けて、この温度が所定の温度を下回っている場合はヒーターｅの電源をオンにして給水タンク１０１内の水の温度を上昇させ、これにより、給水タンク１０１内の水の温度が所定の一定値の近傍となるように調節する（ステップＳ５）。
次に、制御部１１１は、定量ポンプ１２１の電源スイッチをオンにして、定量ポンプ１２１を稼動させ、給水タンク１０１に、所定の混合比でミネラル水を入れる（ステップＳ６）。
ステップＳ７では、制御部１１１は、攪拌装置ｃのスイッチをオンにして、攪拌装置ｃを稼動させ、給水タンク１０１で、前記原料水と前記ミネラル水とを混合すると共に、給水タンク１０１の水の温度等を均一化する。但し、攪拌装置ｃのスイッチが既にオンの場合は、この状態を継続させる（ステップＳ８）。
【００３５】
次に、制御部１１１は、循環用ポンプ１０６のスイッチをオンにして、循環用ポンプ１０６を稼動させ、給水タンク１０１の水を、磁気遠赤外線水処理装置１５１が設置されている通水管内を通過させ、これにより、給水タンク１０１の水を活性化する。但し、循環用ポンプ１０６のスイッチが既にオンの場合は、この状態を継続させる（ステップＳ８）。
次に、制御部１１１は、表示部１１３に、「給水可」を示す表示を表示させる。但し、表示部１１３に、既に「給水可」の表示が表示されている場合は、この状態を継続させる。
【００３６】
制御部１１１は、このように動作するので、給水タンク１０１内には、給水容器１３０よりも遙に多量の活性化されたミネラル水が、常時、確保されていることになり、これにより、係員は、何時でも、受水バルブ１３１を開いて、活性化されたミネラル水を給水容器１３０に充填することができる。
〔他の実施形態〕
【００３７】
前述の実施形態では、ミネラル水が給水タンク１０１内で原料水と混合されて磁化ミネラル水が製造される構成としたが、一般に、本発明では、給水タンク１０１内で原料水だけを磁気処理済の水に変えて、係員が、当家水バルブを開いて給水用容器１３０に取り出し、その後、この係員が、操作スイッチ１１２を操作して定量ポンプ１２１を稼動させ、ミネラル水貯蔵タンク内のミネラル水を所定量だけ給水用容器１３０に充填する構成とすることも可能である。
本発明は、産業動物用の磁化ミネラル水供給装置とは限らず、人間用飲料水の基準を満たす処理をした上で一般的な飲用水のための磁化ミネラル水供給装置に転用することも可能である。
【００３８】
なお、本発明に係る制御部１１１の処理の少なくとも一部をコンピュータ制御により実行するものとし、かつ、上記処理を、図５のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【産業上の利用可能性】
【００３９】
本発明は、特に良質な産業動物用飲料水を提供するための磁化ミネラル水供給装置及び供給方法であり、産業上の利用可能性を有する。
【図面の簡単な説明】
【００４０】
【図１】本磁化ミネラル水供給方法を説明するための説明図である。
【図２】本磁化ミネラル水供給装置の全体構成を示す。
【図３】本磁化ミネラル水供給装置の電気系統の回路構成を示す。
【図４】本磁化ミネラル水供給装置における磁気遠赤外線水処理装置１（簡易例）の構成を示す。
【図５】本発明の実施形態に係る磁化ミネラル水供給装置の動作を説明するためのフローチャートである。
【符号の説明】
【００４１】
１００  磁化ミネラル水供給装置
１０１  給水タンク
１０２  給水バルブ
１０３  濾過器
１０４  電磁弁
１０５  減圧弁
１０６  循環用ポンプ
１１０  制御盤
１１１  制御部
１１２  操作ＳＷ
１１３  表示部
１２０  ミネラル水貯蔵タンク
１２１  定量ポンプ
１２２  接続バルブ
１３０  給水用容器
１３１  受水バルブ
１４０  台車
１４１  自在車
ａ  上限水位計
ｂ  下限水位計
ｃ  攪拌装置
ｄ  温度計
ｅ  ヒーター
１５１  磁気遠赤外線水処理装置
１５２  磁気遠赤外線水処理装置の第１ハウジング
１５３  磁気遠赤外線水処理装置の第２ハウジング
１５４  ヒンジ手段
１５５  防磁鉄板
１５６  ヨーク
１５７  磁気手段
１５８  遠赤外線放射手段
【図１】
2005279453.tif 000003
【図２】
2005279453.tif 000004
【図３】
2005279453.tif 000005
【図４】
2005279453.tif 000006
【図５】
2005279453.tif 000007